(57)【要約】  【課題】除草を行う各部材の高さ等を適切かつ簡単に調節可能とする。  【解決手段】土壌表面ＤＨに接地されるソリ２２と、ソリ２２の後方に配置されて放射状に突出した複数の羽板部３４が土壌表面ＤＨに接地される回転羽根部材２４と、回転羽根部材２４の後方に配置されて土壌表面ＤＨに接地されるロータ２５とを備えている複数条用の水田除草機１０であって、ソリ２２の高さを調節可能なソリ高さ調節部５０と、ソリ２２の前後方向の傾斜角度を調節可能なソリ角度調節部５１と、ロータ２５の高さを調節可能なロータ高さ調節部５２とを備え、ソリ高さ調節部５０、ソリ角度調節部５１およびロータ高さ調節部５２には、調節用目盛り２６ａ、２７ｂ、３７ｂを設けていると共に、標準位置の目盛りを指し示す基準位置マーク２６ｂ、２７ｃ、３７ｃを設けている。  【選択図】図１
2006223272.tif 000002
【特許請求の範囲】
【請求項１】
土壌表面に接地して除草を行う複数の除草手段を車輪に支持された機体に並列して設け、該各除草手段は、土壌表面に接地されるソリと、該ソリの後方に配置されて土壌表面に接地されるロータとを備えている複数条用の水田除草機であって、
前記除草手段は、前記ソリの高さを調節可能なソリ高さ調節部と、前記ソリの前後方向の傾斜角度を調節可能なソリ角度調節部と、前記ロータの高さを調節可能なロータ高さ調節部とを備え、
前記ソリ高さ調節部、前記ソリ角度調節部および前記ロータ高さ調節部には、それぞれ調節用目盛りを設けていると共に、標準位置の目盛りを指し示す基準位置マークを設けていることを特徴とする水田除草機。
【請求項２】
前記除草手段は、前記ソリの後方に配置されて放射状に突出した複数の羽板部が土壌表面に接地される回転羽根部材を備えている請求項１に記載の水田除草機。
【発明の詳細な説明】
【技術分野】
【０００１】
本発明は、水田除草機に関し、詳しくは、水田に条植えされた苗の周囲に生育する雑草を除草するためのものである。
【背景技術】
【０００２】
従来、水田の苗周囲に生育する雑草を除草するための装置として、特開２００２−２０４６０３号公報において図７に示すような除草装置１が開示されている。
除草装置１は、駆動源２により車輪３を回転させて走行し、車輪３の前方に除草部４を設けていると共に、後方に乗用部５を牽引するように備えている。除草部４は、羽板部を放射状に突出した回転除草機構６と、回転除草機構６の後方に配置した除草ローター７と、回転除草機構６の前方に配置したソリ部８とを備えている。回転除草機構６や除草ロータ７等の土面に対する角度は角度調節機構９により調節可能としている。
作業者は、除草装置１の乗用部５に乗ってハンドル操作しながら走行し、回転除草機構６で雑草を掻き出して除草すると共に、回転除草機構６によっては除草されなかった雑草を除草ローター７によって土壌内に押し埋めて死滅させている。
【０００３】
しかしながら、複数条用に除草ロータ７等を並列して複数設ける場合には、条間の除草ロータ７等の高さが互いに揃うように目視で繰り返し調節する必要があり、調節に時間が掛かる問題もある。さらに、一度、調節をして除草ロータ７等の高さを変更してしまうと、基準となる元の高さが分からなくなり、圃場の硬軟に対して適切な高さ調節を行えない場合が発生する。また、角度調節機構９では回転除草機構６や除草ロータ７等の角度を一括して調節する構成としているため、各部材を個別に調節したいニーズに応えられない問題もある。
【特許文献１】特開２００２−２０４６０３号公報
【発明の開示】
【発明が解決しようとする課題】
【０００４】
本発明は、前記問題に鑑みてなされたもので、除草を行う各部材の高さ等を適切かつ簡単に調節可能とすることを課題としている。
【課題を解決するための手段】
【０００５】
前記課題を解決するため、本発明は、土壌表面に接地して除草を行う複数の除草手段を車輪に支持された機体に並列して設け、該各除草手段は、土壌表面に接地されるソリと、該ソリの後方に配置されて土壌表面に接地されるロータとを備えている複数条用の水田除草機であって、
前記除草手段は、前記ソリの高さを調節可能なソリ高さ調節部と、前記ソリの前後方向の傾斜角度を調節可能なソリ角度調節部と、前記ロータの高さを調節可能なロータ高さ調節部とを備え、
前記ソリ高さ調節部、前記ソリ角度調節部および前記ロータ高さ調節部には、それぞれ調節用目盛りを設けていると共に、標準位置の目盛りを指し示す基準位置マークを設けていることを特徴とする水田除草機を提供している。
【０００６】
前記構成とすると、ソリ高さ調節部およびソリ角度調節部の基準位置マークを目印にして、複数条用に並列して設けられた複数のソリを全て同じ目盛り位置に合わせることで、各々のソリを同じ高さ・角度に簡単かつ正確に揃えることが可能となる。かつ、ロータ高さ調節部の基準位置マークを目印にして、複数条用に並列して設けられた複数のロータを全て同じ目盛り位置に合わせることで、各々のロータについても同じ高さに簡単かつ正確に揃えることが可能となる。
さらに、前後に対となるソリとロータとの間の相対的な高さ関係についても、基準位置マークを目印にして目盛り合わせすることで、互いの高さ関係が適切に保たれるように簡単かつ正確に調節を行うことができる。
【０００７】
また、ソリは土壌表面に追従することで除草手段を土壌表面から一定高さに保つ働きをし、ソリおよびロータは水田の土壌中に雑草を埋め込んで死滅させる働きをする。なお、これらソリやロータは条植えされた苗の条間の雑草を埋め込める位置に設置していることが好ましい。
【０００８】
前記除草手段は、前記ソリの後方に配置されて放射状に突出した複数の羽板部が土壌表面に接地される回転羽根部材を備えていると好ましい。
前記構成とすると、水田除草機の走行時に羽板部が土壌表面に接地する際の抵抗で回転羽根部材が自発的に回転し、根の浅い雑草を土壌より掻き出して除草することができる。なお、回転羽根部材は同じ条の苗間（株間）やその周辺に生育する雑草を掻き出せる位置に設置していることが好ましい。
【０００９】
調節用目盛りおよび基準位置マークは、各調節部の構成部材に穴や刻印として形成すれば、目盛りラベルを貼る場合等に比べて、泥や水等の影響で剥がれることがないと共に低コスト化を図ることができ好適である。また、ソリには斜め後方に突出するスプリング爪を取り付けて土壌より雑草を描き出す構成とするとより好ましい。
【００１０】
前記ソリ高さ調節部は、機体側に固定された取付片に対してソリ側に固定されたスライド片を上下スライド可能に取り付け、該取付片あるいはスライド片のいずれかに前記目盛りを上下方向に複数穿設あるいは刻設していると共に、前記基準位置マークを刻設あるいは穿設していると好ましい。
前記ソリ角度調節部は、機体側に固定されたスライド片に対してソリ側に固定された突出片を揺動可能に取り付け、該スライド片あるいは突出片のいずれかに前記目盛りを揺動方向に複数穿設あるいは刻設していると共に、前記基準位置マークを刻設あるいは穿設していると好ましい。
前記ロータ高さ調節部は、機体側に固定された取付片に対してロータ側に固定された傾斜した傾動片を上下方向に傾動可能に取り付け、該取付片あるいは傾動片のいずれかに前記目盛りとなる階段状切欠を傾動方向に複数設けていると共に、前記基準位置マークを刻設あるいは穿設していると好ましい。
【発明の効果】
【００１１】
以上の説明より明らかなように、本発明によれば、ソリ高さ調節部やソリ角度調節部やロータ高さ調節部により基準位置マークを目印にして高さや角度を調節し、複数条用に並設された複数のソリやロータを互いに同じ目盛り位置に合わせることで、条毎のソリの高さ・角度やロータの高さを簡単かつ正確に揃えることが可能となる。さらに、前後に対となるソリとロータとの間の相対的な高さ関係についても、基準位置マークを目印にして目盛り合わせすることで、互いの高さ関係を簡単かつ正確に適正化できる。
【発明を実施するための最良の形態】
【００１２】
本発明の実施形態を図面を参照して説明する。
図１は水田に条植えされた苗の周囲に生育する雑草を除草する４条用の水田除草機１０を示す。
水田除草機１０は乗用型で、前後に縦断する機体１１を支持する前輪１２と後輪１３は原動機１７により回転駆動されると共に、操縦用ハンドル１８および運転席１９は機体１１の後部中央に設けられている。前輪１２と後輪１３の間には、除草手段１４をリンク部材３９および油圧シリンダ４９を介して上下動可能に機体１１に取り付けており、引張バネ１６で除草手段１４を吊り下げていると共に、機体１１に固定された位置調節手段１５に引張バネ１６の上端フック部１６ａを取り付けている。
【００１３】
除草手段１４は、引張バネ１６およびリンク部材３９が連結される基部２０と、基部２０の下方で前後方向に延在するフレーム２１と、フレーム２１に対して昇降可能かつ傾動可能に連結されたソリ２２と、ソリ２２の両側より斜め後方に突出して形成された弾性を有する金属棒からなるスプリング爪２３と、フレーム２１に対して左右両側で前後にずらした状態で取付片３２を介して固定された回転羽根部材２４と、フレーム２１に対して傾動することで昇降可能に固定されたロータ２５とを備えている。
【００１４】
ソリ２２は、前端部２２ａを上方に反り返らせていると共に、後端部２２ｂは斜め下方に傾斜させてギザギザの爪を形成している。図３および図４に示すように、ソリ２２は、その上面に左右一対の突出片２８を板面方向が前後方向となるように突設し、突出片２８の間に断面コ字状のスライド片２７を挟設し、該スライド片２７をフレーム２１の先端より垂下する取付片２６に上下スライド可能に外嵌している。取付片２６の前面には上下方向に所定の間隔をあけて複数のボルト穴２６ａを設けることで上下調節用目盛りの役目を兼用している。また、取付片２６には、これら上下調節用目盛り兼ボルト穴２６ａのうち標準位置の目盛りを指し示す三角状の基準位置マーク２６ｂを刻設している。スライド片２７には長軸が上下方向となる長孔２７ａを穿設しており、その長孔２７ａを介してボルト２９をいずれかの上下調節用目盛り兼ボルト穴２６ａに締結することで上下位置調節可能にスライド片２７を取付片２６に固定し、ソリ高さ調節部５０としている。
【００１５】
スライド片２７の側壁には、図３に示すように、角度調節用目盛り２７ｂを円弧状に所定間隔で穿設していると共に、これら角度調節用目盛り２７ｂのうち標準位置の目盛りを指し示す三角状の基準位置マーク２７ｃを刻設している。突出片２８の上端には角度調節用目盛り２７ｂを指し示すための突起２８ａを設けており、突出片２８を上下一対のボルト３０、３１でスライド片２７の側壁に締結している。また、上側のボルト３０を締結するためにスライド片２７に穿設されたボルト穴は円弧状の長孔２８ａとし、下側のボルト３１を支点としてスライド片２７に対してソリ２２を傾動できるように取り付け、ソリ角度調節部５１としている。
【００１６】
回転羽根部材２４は、ソリ２２の斜め後方に前後一対配置されており、取付片３２の下端に回転自在に連結された回転軸部３３と、回転軸部３３より放射状に突出された複数枚の羽板部３４とを備え、回転軸部３３の軸線方向を左右方向に傾斜させている。羽板部３４は、回転軸部３３より下方に突出すると共にその下端部３４ａから先端部３４ｂにかけて斜め上方に突出しており、かつ、周方向に湾曲して形成している。
【００１７】
ロータ２５は、ソリ２２の後方で且つ回転羽根部材２４の斜め後方に配置されており、図３および図５に示すように、複数本の棒状部材３５を周状に間隔をあけて配置することで仮想円筒を形成するカゴ状とし、傾動片３６に対して回転自在に取り付けている。フレーム２１の後端では取付片３７を後下方に突出しており、取付片３７に穿設された長孔３７ａを通して傾動片３６を傾動可能にボルト３８で固定することで、ロータ高さ調節部５２としている。取付片３７の後方上側の端縁は複数段の階段状に切り欠いて上下調節用目盛り３７ｂを形成していると共に、標準位置の目盛りを指し示す三角状の基準位置マーク３７ｃを刻設している。
【００１８】
位置調節手段１５は、機体１１にブラケット部４０ａを介して固定されたハウジング４０にネジを外周に刻設したネジ軸４１を回転自在に固定しており、ネジ軸４１の上端に調節ハンドル４２を固定していると共に、ハウジング４０の下方にネジ軸４１が内嵌螺合された昇降棒４３を突出し、調整ハンドル４２を廻してネジ軸４１が回転されることにより、昇降棒４３が昇降される構成としている。また、第１傾動片４４および第２傾動片４５は、その下端が固定軸４６により機体１１に対して回転自在に固定され、第１傾動片４４の上端が昇降棒４３の下端に回転自在に固定され、かつ、第１傾動片４４と第２傾動片４５との間の交差する角度は不変のまま固定軸４６を支点として傾動される。
【００１９】
引張バネ１６は、上端フック部１６ａを第２傾動片４５の先端の突起部４５ａに連結していると共に、下端フック部１６ｂを除草手段１４の基部２０の突起部２０ａに連結している。
油圧シリンダ４７は、その上端を機体１１に固定している一方、そのピストン部４８の下端の固定部４９をリンク部材３９に連結している。また、リンク部材３９は後端を機体１１の連結部１１ａに回転自在に取り付けていると共に、前端を除草手段１４の基部２０の連結部２０ｂに回転自在に取り付けている。
【００２０】
次に、水田除草機１０を用いた除草作業について説明する。
図２に示すように、水田除草機１０の前輪１２および後輪１３が土壌耕盤ＤＫに載った状態で、作業者は調節ハンドル４２を廻すことで除草手段１４を降下させてソリ２２を水面より下層の土壌表面ＤＨに接地させ、スプリング爪２３、回転羽根部材２４およびロータ２５を土壌表面ＤＨより少し沈んだ状態に配設する。
【００２１】
この状態から走行すると、ソリ２２は、走行中に引張バネ１６の振動吸収作用により接地圧が安定的に保たれて土壌表面ＤＨに追従する。スプリング爪２３は、土壌表面ＤＨから少し潜っていることにより、根の浅い雑草が掻き出される。回転羽根部材２４は、図６に示すように、左右に対向して内向き傾斜された状態で軸支されており、水田除草機１０の走行時に内側の羽板部３４が土壌表面ＤＨに接地することで自発的に回転し、羽板部３４の表面で根の浅い雑草Ｚを掻き出す。ロータ２５は、土壌表面ＤＨを転動することで、雑草に土を被せて死滅させる。
【００２２】
次に、ソリ２２の高さ・角度調節およびロータ２５の高さ調節について説明する。
表１に示すように、圃場は硬い場合には、ロータ２４の高さを上げ、ソリ２２の高さを上げ、ソリ２２の角度を前下がりにすることが好ましい。圃場が標準である場合には、ロータ２４の高さ、ソリ２２の高さ・角度の全てを基準位置マーク２６ｂ、２７ｃ、３７ｃに合わせることが好ましい。圃場が軟らかい場合には、ロータ２４の高さを下げ、ソリ２２の高さを下げ、ソリ２２の角度を前上がりにすることが好ましい。なお、ロータ２５の高さとソリ２２の高さ・角度の設定で適正でない例は表２に示している。
【００２３】
【表１】
2006223272.tif 000003
【００２４】
【表２】
2006223272.tif 000004
【００２５】
具体的には、例えば圃場が硬い場合には、ソリ高さ調節部５０においてスライド片２７を上辺が基準位置マーク２６ｂより一段上に位置するように上方にスライドさせた状態で、ボルト２９を上下調節用目盛り兼ボルト穴２６ａに締結する。かつ、ソリ角度調節部５１において突起２８ａが基準位置マーク２７ｃよりも一段右の角度調節用目盛り２７ｂを指すようにソリ２２を前下がりに傾斜させた状態でボルト３０を締結する。かつ、ロータ高さ調節部５２において傾動片３６の上辺が基準位置マーク３７ｃよりも一段上の上下高さ調節用目盛り３７ｂに沿うように、傾動片３６を上方に傾動させてボルト３８で締結する。
【００２６】
このように、上下調節用目盛り兼ボルト穴２６ａ、角度調節用目盛り２７ｂ、上下調節用目盛り３７ｂを目印とすることで、複数条用に並列して設けられた全てのソリ２２の高さ・角度やロータ２５の高さを簡単かつ正確に揃えることができる。さらに、前後に対となるソリ２２とロータ２５との間の相対的な高さ関係についても、基準位置マーク２６ｂ、３７ｃを目印にして目盛り合わせすることで、互いの高さ関係が適切に保たれるように簡単かつ正確に調節できる。
【図面の簡単な説明】
【００２７】
【図１】本発明の実施形態の水田除草機の側面図である。
【図２】使用状況を示す側面図である。
【図３】除草手段の拡大側面図である。
【図４】除草手段の拡大正面図である。
【図５】水田除草機の使用状況を示す上面図である。
【図６】回転羽根部材の作用を説明する図面である。
【図７】従来例を示す図面である。
【符号の説明】
【００２８】
１０    水田除草機
１１    機体
１２    前輪
１３    後輪
１４    除草手段
１５    位置調節手段
１６    引張バネ
１７    原動機
１８    操縦ハンドル
１９    運転席
２１    フレーム
２２    ソリ
２３    スプリング爪
２４    回転羽根部材
２５    ロータ
２６ａ  上下調節用目盛り兼ボルト穴
２６ｂ、２７ｃ、３７ｃ  基準位置マーク
２７ｂ  角度調節用目盛り
３７ｂ  上下調節用目盛り
５０    ソリ高さ調節部
５１    ソリ角度調節部
５２    ロータ高さ調節部    
ＤＨ    土壌表面
ＤＫ    土壌耕盤
Ｎ      苗
Ｓ      水面
Ｚ      雑草
【図１】
2006223272.tif 000005
【図２】
2006223272.tif 000006
【図３】
2006223272.tif 000007
【図４】
2006223272.tif 000008
【図５】
2006223272.tif 000009
【図６】
2006223272.tif 000010
【図７】
2006223272.tif 000011